(57)【特許請求の範囲】
【請求項１】
台上に引き出し式食器洗浄機を設置する方法であって、平面状のベース部とそのベース部の一端に設けられた係止片を有する台側移動防止部材を台に取り付ける工程と、その後に台に洗浄機本体を位置決めする工程と、その後に本体側移動防止部材と台側移動防止部材の係止片が係止する位置関係で本体側移動防止部材を食器洗浄機の本体の前面に取り付ける工程とを有している引き出し式食器洗浄機の設置方法。
【請求項２】
台に洗浄機本体を位置決めする工程に先立って洗浄機本体に本体側移動防止部材を仮止めする工程が付加されていることを特徴とする請求項１に記載の引き出し式食器洗浄機の設置方法。
【請求項３】
食器洗浄機の本体の前面のうち、洗浄槽の側壁よりも外方または洗浄槽の扉に設けられた切り欠きに対応して洗浄槽のスライドに干渉しない部分に、本体側移動防止部材を取り付けることを特徴とする請求項１または２に記載の引き出し式食器洗浄機の設置方法。
【発明の詳細な説明】
【０００１】
【発明の属する技術分野】
本発明は、引き出し式食器洗浄機に関するものである。特に、台上に設置される引き出し式食器洗浄機の移動を防止する技術に関するものである。
【０００２】
【従来の技術】
台上に設置される引き出し式食器洗浄機が用いられている（以下、「引き出し式食器洗浄機」を「食器洗浄機」と略す）。この種の食器洗浄機の洗浄槽は、洗浄機本体に収容された収容位置から、引き出された引き出し位置まで引き出すことができる。引き出し位置まで引き出された洗浄槽は、洗浄機本体に設けられているストッパに当たってその位置に止まるが、その際に食器洗浄機に前向きの力が加わる。この前向きの力によって、食器洗浄機が前方に移動してしまう（台に対して食器洗浄機の位置がずれる）のを防止するために、台と食器洗浄機に移動を防止する移動防止部材が設けられている。以下、この移動防止部材の一例について説明する。
【０００３】
図１に示されているように、台１１２の天板１１２ａの前方側（矢印１１３の方向）上部にスクリュウ１１８が取り付けられている。スクリュウ１１８は段付きタイプであり、ねじ込まれたスクリュウ１１８のスクリュウ頭と天板１１２ａとの間には間隔が設けられる。そして台１１２の上に食器洗浄機１１０が載せられ、続いて図２に示されている移動防止金具１２２（移動防止部材）が台１１２に取り付けられる。なお、洗浄槽１１６が収容されていると、扉１１７によって洗浄機本体１１４の前面が隠されてしまうので、移動防止金具１２２を台１１２に取り付ける際には、洗浄槽１１６を引き出し、洗浄機本体１１４の前面に設けられている前枠１１４ａを露出させてから行う必要がある。
移動防止金具１２２は、図２に示されているように、Ｌ字状の断面を有しているとともに、丸穴１２２ａと丸穴１２２ｃが形成されている。丸穴１２２ａには、側方に伸びるスリット１２２ｂが形成されている。また、洗浄機本体１１４の前枠１１４ａには、スクリュウ穴１１４ｂが形成されている。
【０００４】
移動防止金具１２２を台１１２に取り付ける際には、図３に示されているように、丸穴１２２ａをスクリュウ１１８のスクリュウ頭１１８ａに通した後に、移動防止金具１２２を側方（矢印１２４の方向）にスライドさせる。移動防止金具１２２がスライドされると、スリット１２２ｂがスクリュウ１１８のスクリュウ頭１１８ａの下に入り込み、移動防止金具１２２の上方への動きが規制される。そして、丸穴１２２ｃに通したスクリュウ１２３を前枠１１４ａのスクリュウ穴１１４ｂにねじ込むことにより、移動防止金具１２２は台１１２に取り付けられる。このようにして台１１２に取り付けられた移動防止金具１２２の前面板１２２ｄは、洗浄機本体１１４の前枠１１４ａを係止する位置に配置される。このため、洗浄槽１１６が引き出されてストッパに当たり、食器洗浄機１１０に前方向きの力が加わっても、食器洗浄機１１０が移動してしまうことが防止される。
【０００５】
【発明が解決しようとする課題】
しかしながら、移動防止部材の取り付け作業は、引き出された洗浄槽の下で行わなければならないため、手を入れにくいとともに視認も難しく、作業者に困難な作業を強いていた。
【０００６】
本発明は、かかる問題を解決するためになされたものであり、食器洗浄機の移動防止部材の取り付けが容易に行える技術を提供することを課題とする。
【０００７】
【課題を解決するための手段および作用と効果】
請求項１に記載の食器洗浄機の設置方法では、台上に引き出し式食器洗浄機を設置するにあたって、平面状のベース部とそのベース部の一端に設けられた係止片を有する台側移動防止部材を台に取り付ける工程と、その後に台に洗浄機本体を位置決めする工程と、その後に本体側移動防止部材と台側移動防止部材の係止片が係止する位置関係で本体側移動防止部材を食器洗浄機の本体の前面に取り付ける工程とを有している。
従来から知られる引出し式食器洗浄機の設置方法では、洗浄機本体の位置決めをした後に、移動防止部材を台に取り付けていた。この場合、洗浄機本体が邪魔となり、移動防止部材を取り付ける作業が困難であった。
請求項１の引き出し式食器洗浄機の設置方法では、平面状のベース部とそのベース部の一端に設けられた係止片を有する台側移動防止部材と、本体側移動防止部材とを利用することでこの問題を解決する。台側移動防止部材は台上に洗浄機本体を位置決めする前に台側に固定しておけばよいことから、その固定作業に洗浄機本体が邪魔になることがない。また、本体側移動防止部材は、食器洗浄機の本体の前面に取り付ければよいために、その取り付け作業に洗浄機本体が邪魔になることもない。取り付け作業が極めて容易化される。
【００１１】
台上に引き出し式食器洗浄機を設置する場合、台に洗浄機本体を位置決めする工程に先立って洗浄機本体に本体側移動防止部材を仮止めしておいてもよい（請求項２）。
上記の食器洗浄機の設置方法によれば、本体側移動防止部材を仮止め位置から切り替え取り付けるだけで、本体側移動防止部材と台側移動防止部材の係止片が係止する位置関係で本体側移動防止部材を食器洗浄機の本体の前面に取り付けることができる。作業をより容易に行うことができる。
【００１２】
請求項１または２に記載の引き出し式食器洗浄機の設置方法において、食器洗浄機の本体の前面のうち、洗浄槽の側壁よりも外方または洗浄槽の扉に設けられた切り欠きに対応して洗浄槽のスライドに干渉しない部分に、本体側移動防止部材を取り付けることが好ましい（請求項３）。
上記の方法によると、本体側移動防止部材をより簡単に取り付けることが可能となる。
【００１３】
【発明の実施の形態】
（第１実施形態）  本発明に係る食器洗浄機の第１実施形態を図４〜図１１を参照しながら説明する。
まず最初に、食器洗浄機１０の構成と動作について簡単に説明する。食器洗浄機１０は、図４に示されているように、台１２上に設置される。食器洗浄機１０の洗浄機本体１４は、前方が開放されており、ここに洗浄槽１６が引き出し可能に装着される。洗浄槽１６は、上部が開放された箱状に形成されており、その前面には扉１７が設けられている。使用者は、洗浄槽１６の上部開放部から食器１５を出し入れすることができる。洗浄槽１６の扉１７には、使用者が洗浄槽１６に収容／引き出しの力を加えるための取っ手１７ａが形成されている。使用者によって洗浄槽１６が収容位置に戻されると、洗浄槽１６の動きと連動して動作するシール蓋開閉機構（図示省略）によって、洗浄機本体１４の内側上部に配置されているシール蓋（図示省略）が下がり、洗浄槽１６の上部開放部に蓋をする。この状態で操作パネル１７ｂに設けられている運転スイッチをオンにすると、洗浄槽１６が収容位置にロックされ、食器洗浄機１０が運転を開始する。食器洗浄機１０が運転を開始すると、洗浄槽１６に入れられた食器１５に洗浄水が勢いよく吹き付けられ、この作用によって食器１５が洗浄される。
【００１４】
以上、食器洗浄機１０の構成と動作について簡単に説明した。続いて、食器洗浄機１０が移動するのを防止する構成について説明する。
台１２上に設置される食器洗浄機１０は、台１２（図５参照）に固定される台側移動防止金具２２に、洗浄機本体１４（図８参照）の前枠１４ａに固定される本体側移動防止金具４２が係止することによって、その移動が防止される。なお、台側移動防止金具２２と本体側移動防止金具４２は、それぞれ請求項に記載の台側移動防止部材と本体側移動防止部材に相当する。
台側移動防止金具２２は、図５に示されているように、平面状のベース部２２ａと、このベース部２２ａの一端に設けられた係止片２２ｂを有している。ベース部２２ａには、上下に貫通する２個の丸穴２２ｃが形成されている。そして、この台側移動防止金具２２は、図６に示されているように、台１２の天板１２ａの前方側（矢印３２の方向）上部の両側端にスクリュウ３３によって固定される。
また、図７に示されているように、台１２の天板１２ａの後部両端に、後方移動防止金具３６がスクリュウ３７によって固定される（図７において、矢印３４が後方側を示している）。後方移動防止金具３６には、係止片３６ａが設けられているとともに、複数の前後方向に伸びる長穴である穴３６ｂが形成されている。緩く締め込んだスクリュウ３７に沿って穴３６ｂをスライドさせることにより、後方移動防止金具３６の天板１２ａに対する固定位置を調整することができる。また、後方移動防止金具３６には、食器洗浄機１０の扉１７を全開したときに食器洗浄機１０が下へ傾くのを防止するツメ３６ｃも設けられている。
【００１５】
本体側移動防止金具４２は、図８に示されているように、その断面形状はＬ字状であり、上下方向に伸びる長穴である穴４２ａと、係止片４２ｂを有している。本体側移動防止金具４２は、その穴４２ａが長穴なので、図９において点線で図示されている上方にスライドした位置で前枠１４ａに仮止めすることができる。（図９は、片側の台側移動防止金具２２と本体側移動防止金具４２を図示している）。なお、スクリュウ４３が、請求項に記載の取り付け手段に相当する。この本体側移動防止金具４２の仮止めは、食器洗浄機１０を台１２に載せる前に行っておくことが望ましい。また、洗浄槽１６が収容されていると、扉１７によって洗浄機本体１４の前枠１４ａが隠されてしまうので、本体側移動防止金具４２の仮止めや固定に際しては、洗浄槽１６を引き出して行う必要がある。そして、食器洗浄機１０を台１２に載せた後、本体側移動防止金具４２を矢印４４で示したように下方側にスライドさせ、スクリュウ４３によって固定する。
【００１６】
図１０によく示されているように、固定された本体側移動防止金具４２の係止片４２ｂは、台１２の天板１２ａに固定されている台側移動防止金具２２の係止片２２ｂに係止する。このため、食器洗浄機１０の前方側への移動が防止される。このように、食器洗浄機１０を台１２に載せる前に本体側移動防止金具４２を仮止め位置に仮止めしておけば、食器洗浄機１０を台１２に載せた後は、本体側移動防止金具４２を係止位置までスライドさせ、スクリュウ４３を締め込むだけで本体側移動防止金具４２を固定することができる。
なお、上述したように、台１２の天板１２ａの後部に固定されている後方移動防止金具３６の係止片３６ａは、洗浄機本体１４の後壁を係止する。後方移動防止金具３６が洗浄機本体１４の後壁を係止すると、洗浄槽１６が収容される際に発生する後方向きの力によって、食器洗浄機１０が移動してしまうことが防止される。
【００１７】
本体側移動防止金具４２を洗浄機本体１４に固定しているスクリュウ４３は、図１１に示されているように、洗浄槽１６の側壁１６ａよりも外方に位置している（図１１においては、扉の図示は省略している）。洗浄槽１６の側壁１６ａよりも外方は、洗浄槽１６の下とは異なり手を入れやすいとともに視認も容易である。このため、本発明の構成によれば、本体側移動防止部材４２を洗浄機本体１４に容易に固定することができる。
【００１８】
（第２実施形態）  本発明に係る食器洗浄機の第２実施形態を図１２を参照しながら説明する。なお、第１実施形態と重複する説明は省略し、本第２実施形態として特徴的な部分のみを述べる。
本第２実施形態の食器洗浄機５０の台側移動防止金具２２、本体側移動防止金具４２、スクリュウ４３は、第１実施形態の食器洗浄機１０とは異なり、洗浄槽１６の下に配置されている。そして、扉１７の下部には切り欠き部５２が形成されており、扉１７が閉じられた状態でも、台側移動防止金具２２、本体側移動防止金具４２、スクリュウ４３は、前方に対して露出される。このため、本体側移動防止金具４２を固定する際に、洗浄槽１６を引き出し、スクリュウ４３を露出させてから行う必要がない。従って、本第２実施形態の食器洗浄機によれば、本体側移動防止部材４２を容易に固定することができる。
【００１９】
（第３実施形態）  本発明に係る食器洗浄機の第３実施形態を図１３を参照しながら説明する。なお、第１実施形態と重複する説明は省略し、本第３実施形態として特徴的な部分のみを述べる。
本第３実施形態の食器洗浄機６０の台側移動防止金具２２、本体側移動防止金具４２、スクリュウ４３は、扉１７の両端下部６２で前方に対して露出される。このため、本体側移動防止金具４２を固定する際に、洗浄槽１６を引き出し、スクリュウ４３を露出させてから行う必要がない。
【００２０】
以上、本発明の実施の形態の食器洗浄機について説明したが、本発明の適用範囲は上記の実施の形態に何ら限定されるものではない。すなわち、本発明は、当事者の知識に基づいて種々の変更、改良を施した形態で実施することができる。
【図面の簡単な説明】
【図１】従来の技術の食器洗浄機が設置される台の斜視図
【図２】同、食器洗浄機が台上に設置された状態の斜視図
【図３】同、台上に設置された食器洗浄機に移動防止金具が取り付けられる過程を説明する斜視図
【図４】第１実施形態の食器洗浄機が台上に設置された状態の斜視図
【図５】同、台側移動防止金具の斜視図
【図６】同、台に台側移動防止金具が取り付けられる状態の斜視図
【図７】同、台に後方移動防止金具が取り付けられる状態の斜視図
【図８】同、本体側移動防止金具の斜視図
【図９】同、台側移動防止金具に本体側移動防止金具が係止している状態の斜視図
【図１０】同、台側移動防止金具に本体側移動防止金具が係止している状態の側面図
【図１１】同、台に食器洗浄機が設置されている状態の正面図（扉は省略して図示している）
【図１２】第２実施形態の食器洗浄機が台に設置されている状態の正面図
【図１３】第３実施形態の食器洗浄機が台に設置されている状態の正面図
【符号の説明】
１０：食器洗浄機（第１実施形態）
１２：台、１２ａ：天板
１４：洗浄機本体、１４ａ：前枠
１５：食器
１６：洗浄槽、１６ａ：側壁
１７：扉、１７ａ：取っ手、１７ｂ：操作パネル
２２：台側移動防止金具、２２ａ：ベース部、２２ｂ：係止片、２２ｃ：丸穴
３２：前方側を示す矢印
３３：スクリュウ
３４：後方側を示す矢印
３６：後方移動防止金具、３６ａ：係止片、３６ｂ：穴、３６ｃ：ツメ
３７：スクリュウ
４２：本体側移動防止金具、４２ａ：穴、４２ｂ：係止片
４３：スクリュウ
４４：下方側を示す矢印
５０：食器洗浄機（第２実施形態）
５２：切り欠き部
６０：食器洗浄機（第３実施形態）
６２：扉の両端下部
１１０：食器洗浄機
１１２：台、１１２ａ：天板
１１３：台の前方側を示す矢印
１１４：洗浄機本体、１１４ａ：前枠、１１４ｂ：スクリュウ穴
１１６：洗浄槽
１１７：扉
１１８：スクリュウ
１２２：移動防止金具、１２２ａ：丸穴、１２２ｂ：スリット、１２２ｃ：丸穴、１２２ｄ：前面板
１２４：側方を示す矢印
【図１】
0003545358.tif 000002
【図２】
0003545358.tif 000003
【図３】
0003545358.tif 000004
【図４】
0003545358.tif 000005
【図５】
0003545358.tif 000006
【図６】
0003545358.tif 000007
【図７】
0003545358.tif 000008
【図８】
0003545358.tif 000009
【図９】
0003545358.tif 000010
【図１０】
0003545358.tif 000011
【図１１】
0003545358.tif 000012
【図１２】
0003545358.tif 000013
【図１３】
0003545358.tif 000014